(57)【要約】【課題】ユーザがネットワーク上で公開される情報を取得、閲覧する際に、主体的に情報検索を行わなくても、興味ある情報の配信を受けれるようになる。【解決手段】  本第三者閲覧情報配信装置１０は、第三者や参照者からの要求を受信し解析する手段１１、第三者の個人情報を記憶する手段１２、第三者が閲覧中の閲覧情報を記憶する手段１３、第三者の閲覧情報を参照者が選択するための第三者基準である配信情報選択基準を記憶する手段１４、配信情報選択基準に基づき、第三者の個人情報を参照して基準に合致する第三者、該第三者の閲覧情報を選択する手段１５、この選択結果に基づき、参照者と第三者、第三者の閲覧情報の組み合わせを管理し、参照者に、該当する第三者の閲覧情報を配信する手段１６を備える。【選択図】図１
2005135194.tif 000002
【特許請求の範囲】
【請求項１】
第三者の閲覧情報を参照者に配信する第三者閲覧情報配信装置であって、
第三者や参照者からの要求を受信し解析する要求解析手段と、
第三者の個人情報を記憶する個人情報管理手段と、
第三者が閲覧中の閲覧情報を記憶する閲覧情報管理手段と、
第三者の閲覧情報を参照者が選択するための第三者基準である配信情報選択基準を記憶する配信情報選択基準管理手段と、
前記配信情報選択基準管理手段の配信情報選択基準に基づき、前記個人情報管理手段の第三者の個人情報を参照して基準に合致する第三者を選択し、該第三者の閲覧情報を前記閲覧情報手段から選択するユーザ選択手段と、
前記ユーザ選択手段の選択結果に基づき、参照者と第三者、第三者の閲覧情報の組み合わせを管理し、参照者に、該当する第三者の閲覧情報を配信する配信情報管理手段と、
を有することを特徴とする第三者閲覧情報配信装置。
【請求項２】
請求項１記載の第三者閲覧情報配信装置において、
要求解析手段が第三者から閲覧情報の変更を受信した場合に、
閲覧情報管理手段は、該当する第三者の閲覧情報を変更し、
配信情報管理手段は、該当する第三者の閲覧情報を変更するとともに、該当する参照者に変更された閲覧情報を配信する、
ことを特徴とする第三者閲覧情報配信装置。
【請求項３】
請求項１記載の第三者閲覧情報配信装置において、
要求解析手段が第三者から個人情報の変更を受信した場合に、
個人情報管理手段は、該当する第三者の個人情報を変更し、
ユーザ選択手段は、配信情報選択基準管理手段の配信情報選択基準に基づき、前記変更された個人情報の第三者の閲覧情報を参照する参照者を選択し、
配信情報管理手段は、前記ユーザ選択手段の選択結果に基づき、参照者と第三者、第三者と閲覧情報の組み合わせを変更すると共に、前記選択された参照者に、該当する第三者の閲覧情報を配信する、
ことを特徴とする第三者閲覧情報配信装置。
【請求項４】
請求項１記載の第三者閲覧情報配信装置において、
要求解析手段が参照者から配信情報選択基準の変更を受信した場合に、
配信情報選択基準手段は、該当する参照者の配信情報選択基準を変更し、
ユーザ選択手段は、配信情報選択基準管理手段の前記変更された配信情報選択基準に基づき、該基準に合致する第三者及び該第三者の閲覧情報を選択し、
配信情報管理手段は、ユーザ選択手段の選択結果に基づき、参照者と第三者、第三者の閲覧情報の組み合わせを変更すると共に、前記配信情報選択基準の変更を受けた参照者に、前記選択された第三者の閲覧情報を配信する、
ことを特徴とする第三者閲覧情報配信装置。
【請求項５】
請求項１乃至４のいずれか１項に記載の第三者閲覧情報配信装置における各手段の処理をコンピュータで実行させるための第三者閲覧情報配信プログラム。
【請求項６】
請求項１乃至４のいずれか１項に記載の第三者閲覧情報配信装置における各手段の処理をコンピュータで実行させるための第三者閲覧情報配信プログラムを記録したコンピュータ読み取り可能な記録媒体。
【発明の詳細な説明】
【技術分野】
【０００１】
本発明は、ＷＷＷ（Ｗorld  Ｗide  Ｗeb）等に代表される様な、ネットワークを介して公開される情報について、各ユーザがそれぞれ取得、閲覧する情報を管理、配信する技術分野に関する。
【背景技術】
【０００２】
一般に、各ユーザがネットワークで公開される情報を取得、閲覧するためには、その対象となる情報のある場所等を示すポインタ（チャンネル、ＵＲＬなど）を指定する必要がある。例えばＷＷＷでのＷebページの取得の場合には、ＨＴＴＰと呼ばれるＲＦＣ（Ｒequest  for  Ｃomments）で配布されているプロトコルが用いられる。ＨＴＴＰとはＨＴＭＬで記述されたドキュメントを送受信するためのプロトコルで、まず、ＷＷＷクライアントが、リクエストとして表示したいＷＷＷページのＵＲＬのパス名を送信し、これに対しＷＷＷサーバが自分の持つＨＴＭＬの文書をクライアントに送信する。ただしＨＴＴＰでは、この１回のデータ取得のたびにサーバへの接続を行ない、データの受信を終えると接続を切断することから、１つの操作で複数のＷebページを参照するような場合でも、あるページから他のページにわたる際のステータスが保持できないという欠点がある。
【０００３】
従来、ＷＷＷページのであれば、直接目標とするホームページのＵＲＬを入力するか、事前に自分でＷＷＷプラウザのブックマーク等に登録したホームページにアクセスするか、検索ホームページ等で特定の話題について検索した結果のリンクを辿るか、各閲覧中のホームページ中のハイパーリンクを辿るといった方法がある。また、ユーザからのアクセスに応じて、ユーザの興味あるホームページを提供する方法もある（例えば、特許文献１、特許文献２参照）。
【０００４】
【特許文献１】特開平９−２９７７３６号公報
【特許文献２】特開２００２−３０４５８２号公報
【発明の開示】
【発明が解決しようとする課題】
【０００５】
昨今、デジタル放送の実用化等によりＴＶ配信のサービスも可能になってきたが、ＴＶ配信は複数チャンネルのマルチキャストであり、ネットワーク配信は単一チャンネルのユニリクエスト、ユニキャストであることから以下の様な問題点がある。
【０００６】
ＴＶ視聴では、別の事を同時進行しながら主体的にチャンネルの指定をせずに、受動的に情報閲覧をする「ながら見」が可能である。しかしながら、ネットワーク配信される情報閲覧に際しては、常に自分が端末の前などで、情報位置の指定などを主体的に行って情報取得をする必要があることから、別の事と同時進行の「ながら見」をすることができない。
【０００７】
また、ＴＶ番組は限られたチャンネル数と放送時間によって決定されるため、その番組数も高々知れており、情報検索によって、あるいは「ながら見」によって、偶然自分の興味ある番組に出会う確率が高いが、ネットワークで配信される情報数は膨大であるため、様々な方法で情報検索を行っても簡単には希望通りの結果が得られず、満足度の高い結果が得られにくく、また自分の興味ある情報に巡り合う確率も大変低い。
【０００８】
ＷＷＷページの場合であれば、偶然自分の興味あるホームページに出会うための方法として、ランダムリンクという手法もあるが、これは概してランダムリンクを行っているホームページに登録されているページへのリンク集合であり、その範囲が限定されてしまう。適当にＵＲＬを入力するという方法もあるが、ホームページの数を考えれば現実的ではない。
【０００９】
本発明は、上記事情に鑑みてなされたもので、各ユーザがネットワーク上で公開される情報を取得、閲覧する際に主体的に情報検索を行わなくても、興味ある情報に偶然巡り会えることができ、また、ＴＶ視聴の様に受動的に「ながら見」できるための第三者閲覧情報配信装置、第三者閲覧情報配信プログラム及びその記録媒体を提供することを目的とする。
【課題を解決するための手段】
【００１０】
本発明の第三者の閲覧情報を参照者に配信する第三者閲覧情報配信装置は、第三者や参照者からの要求を受信し解析する要求解析手段と、第三者の個人情報を記憶する個人情報管理手段と、第三者が閲覧中の閲覧情報を記憶する閲覧情報管理手段と、第三者の閲覧情報を参照者が選択するための第三者基準である配信情報選択基準を記憶する配信情報選択基準管理手段と、前記配信情報選択基準管理手段の配信情報選択基準に基づき、前記個人情報管理手段の第三者の個人情報を参照して基準に合致する第三者を選択し、該第三者の閲覧情報を前記閲覧情報手段から選択するユーザ選択手段と、前記ユーザ選択手段の選択結果に基づき、参照者と第三者、第三者の閲覧情報の組み合わせを管理し、参照者に、該当する第三者の閲覧情報を配信する配信情報管理手段とを有する。
【００１１】
また、本発明の第三者閲覧情報配信装置は、要求解析手段が第三者から閲覧情報の変更を受信した場合に、閲覧情報管理手段は、該当する第三者の閲覧情報を変更し、配信情報管理手段は、該当する第三者の閲覧情報を変更するとともに、該当する参照者に変更された閲覧情報を配信するようにする。
【００１２】
また、本発明の第三者閲覧情報配信装置は、要求解析手段が第三者から個人情報の変更を受信した場合に、個人情報管理手段は、該当する第三者の個人情報を変更し、ユーザ選択手段は、配信情報選択基準管理手段の配信情報選択基準に基づき、前記変更された個人情報の第三者の閲覧情報を参照する参照者を選択し、配信情報管理手段は、前記ユーザ選択手段の選択結果に基づき、参照者と第三者、第三者と閲覧情報の組み合わせを変更すると共に、前記選択された参照者に、該当する第三者の閲覧情報を配信するようにする。
【００１３】
さらに。、本発明の第三者閲覧情報配信装置は、要求解析手段が参照者から配信情報選択基準の変更を受信した場合に、配信情報選択基準手段は、該当する参照者の配信情報選択基準を変更し、ユーザ選択手段は、配信情報選択基準管理手段の前記変更された配信情報選択基準に基づき、該基準に合致する第三者及び該第三者の閲覧情報を選択し、配信情報管理手段は、ユーザ選択手段の選択結果に基づき、参照者と第三者、第三者の閲覧情報の組み合わせを変更すると共に、前記配信情報選択基準の変更を受けた参照者に、前記選択された第三者の閲覧情報を配信するようにする。
【００１４】
本発明の第三者閲覧情報配信装置では、例えば、配信情報選択基準管理手段が、第三者の閲覧情報をＴＶの「ながら見」のように視聴したい参照者からの要求を配信情報選択基準として管理し、個人情報管理手段が第三者のユーザＩＤ、年齢、居住地、複数の嗜好情報等を管理し、ユーザ選択手段が、配信情報選択基準管理手段の配信情報選択基準と、個人情報管理手段の個人情報を基に、ユーザＩＤや年代、性別等と閲覧者情報に対する受信者の指定、嗜好情報の類似度や居住地の近さなど何らかの条件付け、または全くの無作為などの基準により、参照者に配信する情報の閲覧をしている第三者を特定の一人あるいは複数選択し、配信情報管理手段がユーザ選択手段において選択された第三者の閲覧中の情報及び参照者の組み合わせを管理して、参照者に第三者の閲覧情報を配信する。
【発明の効果】
【００１５】
本発明によれば、閲覧者（参照者）は直接情報のある場所を指定するのではなく、情報を閲覧している第三者を指定又は条件により選択し、第三者の閲覧情報を介して、ネットワーク上の情報を受動的に閲覧できる。
また、ネットワークで配信される情報閲覧に際して、ユーザが常に端末の前で閲覧装置等の操作を行わなくても、ＴＶ視聴のように何か別の事をしながら同時進行でのネットワーク上の情報の「ながら見」をすることができる。
また、興味の合いそうな第三者が閲覧中の情報の配信を受けることによって、参照者が興味を持つ情報に偶然出会う確率が高くなる事を期待できる。
【発明を実施するための最良の形態】
【００１６】
以下、本発明の一実施形態について図面を参照して説明する。ここでは、ＷＷＷ上でのＨＴＴＰプロトコルによる情報の取得、閲覧において、参照者に第三者の閲覧情報としてＵＲＬを送る例を示すが、本発明における第三者の閲覧情報をＵＲＬに限定するものではなく、本発明の要旨を逸脱しない範囲で種々変更できる。例えば、ＣＳデジタル放送における番組配信やビデオオンデマンドでのビデオ視聴等が考えられる。
【実施例】
【００１７】
図１は、本発明の第三者閲覧情報配信装置の一利用形態を示したもので、第三者が閲覧中のホームページ情報を参照者に配信するシステムの全体構成図である。本システムは、本発明による第三者閲覧情報配信装置１０、第三者閲覧情報配信装置１０にアクセスすることで配信された第三者が閲覧中の閲覧情報を受信する第三者閲覧情報受信装置３１ａ、３１ｂを有するユーザ端末３０ａ、３１ｂと各ホームページの提供元であるＷebサーバ４０、及び、第三者閲覧情報配信装置１０とユーザ端末３０ａ、３０ｂとＷebサーバ４０とを通信できるように接続するインターネット５０から構成される。２０ａ、２０ｂはユーザ端末３０ａ、３０ｂの所有ユーザで、ここでは、ユーザ２０ａを第三者、ユーザ２０ｂを参照者とするが、この逆にもなりうる。ユーザ端末３０ａ、３０ｂは、例えば入力手段、通信手段及び表示装置を備えるパーソナルコンピュータからなり、インターネット５０にアクセスしてホームページを閲覧することができる。
【００１８】
図１において、第三者閲覧情報配信装置１０は、ユーザからの要求を解析する要求解析手段１１、第三者の個人情報を管理する個人情報管理手段１２、第三者が閲覧中の閲覧情報を管理する閲覧情報管理手段１３、参照者からの配信情報選択基準（第三者の閲覧情報を参照者が選択するための第三者基準）を管理する配信情報選択基準管理手段１４、個人情報管理手段１２と閲覧情報管理手段１３と配信選択基準管理手段１４の情報をもとに、参照者の配信選択基準に合致する第三者を一人あるいは複数、その閲覧情報とともに選択するユーザ選択手段１５、第三者と参照者、第三者の閲覧情報の組み合わせを管理し、参照者へ第三者の閲覧情報を配信する配信情報管理手段１６から構成される。
【００１９】
要求解析手段１１は、ユーザ端末３０ａ、３０ｂからの入力データについて、個人情報の入力や更新なのか、あるいは第三者の閲覧情報の変更なのか、配信情報選択基準の変更なのかを判断する。第三者からの個人情報の入力、更新ならば、個人情報管理手段１２にデータを送り、データベースの更新を行う。第三者の閲覧情報の変更ならば、閲覧情報管理手段１３にデータを送る。参照者からの配信情報選択基準の変更であれば、配信情報選択基準管理手段１４にデータを送る。
【００２０】
個人情報管理手段１２では、要求解析手段１１からの要求を受け取り、ユーザ（第三者）２０ａを特徴付ける様々な個人情報を管理する。ここでは、図２に示すように、所定のユーザＩＤ１００とパスワード１１０を管理している。さらにユーザＩＤ１００に関連付けて性別１２０、年代１３０、地域１４０、嗜好１５０などの情報を管理している。これらの個人情報は、ユーザ（第三者）２０ａが初めてユーザ端末３０ａから本装置１０にアクセスしたときに登録してもよく、又、本装置１０にアクセスしたときであれば随時変更が可能である。ただし登録情報はこれに限らず、また、ユーザＩＤ１００とパスワード１１０以外の登録は任意である。
【００２１】
閲覧情報管理手段１３では、要求解析手段１１から送られたユーザ（第三者）２０ａのユーザＩＤと現在閲覧中の閲覧情報を受け取り、管理する。ここでは、図３に示すように、ユーザＩＤ１００に関連付けて、そのユーザが閲覧しているホームページの閲覧情報２００を管理している。閲覧情報管理手段１３は、ユーザ２０ａが閲覧ページを変更するたびに、随時閲覧情報２００を更新する。
【００２２】
配信情報選択基準管理手段１４では、参照者２０ｂが閲覧情報を要求する第三者を選択するための判断基準の指定の要素とその範囲を管理している。ここでは、図４に示すように、ユーザ（参照者）ＩＤ３００に関連付けて、参照者が第三者の閲覧情報を要求する際に指定する要素３１０と、要素３１０を指定する範囲３２０を管理している。要素３１０は、ユーザＩＤ、年齢、居住地、嗜好情報などであり、指定する範囲３２０は要素の指定や嗜好情報の類似度などによる条件一致、あるいはまったくの無作為などが考えられる。また、これら選択基準の複数指定も可能である。これらの配信情報選択基準（第三者基準）は、参照者２０ｂが初めてユーザ端末３０ｂから本装置１０にアクセスしたときに登録してもよく、又、本装置１０にアクセスしたときであれば随時変更が可能であり、登録は任意である。さらに要素３１０は、ここに記載の内容以外でも可能であり、その指定範囲３２０も参照者が第三者を特定できるものであればよく、条件文のキーボードからの入力や画面上でのリストの選択などが考えられ、本実施例に限るものではない。
【００２３】
ユーザ選択手段１５では、配信情報選択基準管理手段１４に記憶された参照者の配信情報選択基準（第三者基準）に基づき、個人情報管理手段１２の第三者の個人情報を参照して、配信情報選択基準に合致（マッチング）する第三者を選択し、閲覧情報管理手段１３から各ユーザ（参照者）に配信する当該第三者の閲覧情報の選択を行う。さらにその結果を配信情報管理手段１６に送る。
【００２４】
配信情報管理手段１６では、ユーザＩＤ１００で指定される第三者の閲覧情報と、ユーザＩＤ３００で指定される参照者が現在参照している第三者の閲覧情報が表形式で管理されている。ここでは、図５に示すように、表を行方向に見ると、該参照者が参照中の第三者の部分にだけその第三者の閲覧情報が記録されており、列方向に見ると、該第三者を参照している参照者の部分にだけその第三者の閲覧情報が記録されている。また、第三者の閲覧情報が変更された場合は第三者の閲覧情報が更新され、その第三者を参照していた参照者には新しい閲覧情報が配信される。
【００２５】
なお、配信情報管理手段１６では、配信情報選択基準管理手段１４に記憶された配信情報選択基準について、個人情報管理手段１２の個人情報とのマッチングをユーザ選択手段１５でとった結果、参照者２０ｂに配信する可能性のある第三者２０ａを０／１のフラグで先に管理しておくことも考えられる。その場合、参照者２０ｂに第三者２０ａの閲覧情報を配信する際には、閲覧情報管理手段１３から該当する第三者２０ａの閲覧情報を取得し、閲覧情報の配信を行う。
【００２６】
図１において、ユーザ端末３０ａ、３０ｂの第三者閲覧情報受信装置３１ａ、３１ｂは、第三者閲覧情報管理配信装置１０から送信される配信情報（第三者の閲覧情報）を受信する受信手段３２ａ、３２ｂと、受信した第三者の閲覧情報の対象の情報をＷebサーバ４０から受信し表示する配信情報表示手段３３ａ、３３ｂからなる。
【００２７】
以下に、第三者が閲覧中の閲覧情報を変更した場合、第三者が自分の個人情報を変更した場合、及び、参照者が配信情報選択基準（参照する第三者基準）を変更した場合の各動作例を説明する。
【００２８】
図６は、第三者閲覧情報管理配信装置１０で第三者が自分の閲覧情報を変更した場合の動作シーケンスを示した図である。まず、第三者２０ａが、このシステムに専用のブラウザを起動した状態で既に第三者閲覧情報管理装置１０の認証を受けているものとする。ユーザ端末３０ａにおいて、第三者２０ａが自分の閲覧情報を変更し（ステップＳ１）、Ｗebサーバ４０等ら新たな閲覧情報の対象を受信し、表示したとする（ステップＳ２、ステップＳ３）。すると、ユーザ端末３０ａの専用ブラウザから閲覧情報の変更情報が、第三者閲覧情報管理配信装置１０に送信される（ステップＳ４）。送信された閲覧情報の変更情報は、第三者閲覧情報管理配信装置１０の要求情報解析部１１で受信され、その内容の解析が行われる（ステップＳ５）。第三者の閲覧情報の変更なので、要求解析手段１１から閲覧情報管理手段１３へその閲覧情報が伝達され、当該第三者２０ａの閲覧情報が受信した閲覧情報に変更される（ステップＳ６）。これに応じ、閲覧情報が変更された第三者２０ａの閲覧情報を参照していた他の参照者２０ｂがいないかを、配信情報管理手段１６で判断する（ステップＳ７）。そして、当該第三者２０ａの閲覧情報を参照していた参照者２０ｂについて、その第三者２０ａの閲覧情報を閲覧情報管理手段１３の閲覧情報に従い変更を行う（ステップＳ８）。また、配信情報管理手段１６は、参照者２０ｂに第三者２０ａの変更された閲覧情報を配信する（ステップＳ９）。
【００２９】
こうして、該当ユーザの端末３０ｂに、第三者の閲覧情報が送信され（ステップＳ１０）、該送信された閲覧情報が専用ブラウザで受信される（ステップＳ１１）。これによって、専用ブラウザがＷebサーバ４０に閲覧情報を送信する（ステップＳ１２）。これに応じてＷebサーバ４０から閲覧情報の対象情報が提供される（ステップＳ１３）。その情報を端末３０ｂの専用ブラウザに表示する（ステップＳ１４）。
【００３０】
この様に動作することで、第三者２０ａの閲覧情報が変更されると、それに伴い該第三者２０ａの閲覧情報を参照している参照者２０ｂの閲覧状況が変化する。
【００３１】
なお、参照者２０ｂが配信された第三者２０ａの閲覧情報を参照した場合も、第三者閲覧情報配信装置１０に参照者２０ｂの参照情報の送信をおこなうようにしても良い。あるいは、参照者２０ｂが自分で閲覧情報を変更した場合（自発閲覧）と配信された参照情報に閲覧情報を変更した場合（他薦閲覧）を区別して、他薦閲覧であれば、第三者閲覧情報配信装置１０に参照者２０ｂの参照情報を送信しないようにしても良い。さらに、参照者２０ｂの閲覧情報と参照者２０ｂに推薦された第三者２０ａの閲覧情報が同じであった場合は、同じ情報を推薦することになるので、閲覧情報の配信を行わないという制御も考えられる。
【００３２】
図７は、第三者履歴情報管理配信装置１０で第三者が自分の個人情報を変更した場合の動作シーケンスを示した図である。まず、第三者２０ａが、このシステムに専用のブラウザを起動した状態で既に第三者閲覧情報管理装置１０の認証を受けているものとする。ユーザ端末３０ａにてユーザ３０ａが変更情報の入力を行う（ステップＳ２１）。その後、送信ボタンなどを押すことで、個人情報の変更を送信する（ステップＳ２２）。送信された個人情報は、第三者閲覧情報管理配信装置１０の要求情報解析部１１で受信され、その内容の解析が行われる（ステップＳ２３）。個人情報の変更であるので、要求解析手段１１から個人情報管理手段１２へ変更情報が伝達され、当該第三者の個人情報が入力された個人情報に変更される（ステップＳ２４）。ユーザ選択手段１５では、当該第三者２０ａを参照する参照者２０ｂの選択を、配信情報選択基準管理手段１４の配信情報選択基準に基づき、個人情報管理手段を参照しながら実施する（ステップＳ２５）。そして、選択結果を配信情報管理手段１６に送る。配信情報管理手段１６では、該当第三者２０ａの閲覧情報を参照する参照者２０ｂと、第三者２０ａの閲覧情報を参照しない参照者２０ｂについて、それぞれ変更を行う（ステップＳ２６）。また、配信情報管理手段１６では、選択された各参照者へ、参照している第三者の閲覧情報を配信する（ステップＳ２７）。
【００３３】
こうして、該当参照者２０ｂの端末３０ｂに、第三者２０ａの閲覧情報が送信され、専用ブラウザで送信された閲覧情報が受信される（ステップＳ２９）。端末３０ｂはＷebサーバ４０に、受信した閲覧情報を送信する（ステップＳ３０）。これに応じてＷebサーバ４０から対応するホームページが提供される（ステップＳ３１）。端末３０ｂは、Ｗebサーバ４０から返信された第三者の閲覧情報の対象を専用ブラウザに表示する（ステップＳ３２）。
【００３４】
この様に動作することで、第三者２０ａの個人情報が変更されると、それに伴い参照者２０ｂの閲覧状況が変化する。
【００３５】
図８は、第三者閲覧情報管理配信装置１０で参照者が自分の配信情報選択基準を変更した場合の動作シーケンスを示した図である。ここでも、参照者２０ｂが、このシステムに専用のブラウザを起動した状態で既に第三者閲覧情報管理装置１０の認証を受けているものとする。
【００３６】
参照者２０ｂが自分の配信情報選択基準を変更する（ステップＳ４１）。すると、端末３０ｂにおいて、専用ブラウザから変更した配信情報選択基準が第三者閲覧情報管理配信装置１０に送信される（ステップＳ４２）。配信情報選択基準の変更は、第三者閲覧情報管理配信装置１０の要求情報解析部１１で受信され、その内容の解析が行われる（ステップＳ４３）。配信情報選択基準の変更なので、要求解析手段１１から配信情報選択基準管理手段１４へ、その情報が伝達され、当該参照者の配信情報選択基準（第三者基準）の更新が行われる（ステップＳ４４）。これに応じ、ユーザ選択手段１５において、配信情報選択基準管理手段１４に記載の変更された指定要素とその指定範囲に従い、該当するユーザ（第三者）の選択を行う（ステップＳ４５）。その選択結果に基づき、配信情報管理手段１６が管理データを変更する（ステップＳ４６）。また、配信情報管理手段１６は、配信情報選択基準を変更した参照者２０ｂに、選択された第三者の閲覧情報を配信する（ステップＳ４７）。
【００３７】
こうして、参照者２０ｂの端末３０ａに第三者２０ａの閲覧情報が送信される（ステップＳ４８）。端末３０ｂでは、専用ブラウザで第三者閲覧情報配信装置１０から送信された閲覧情報を受信し（ステップＳ４９）、Ｗebサーバ４０に該閲覧情報を送信する（ステップＳ５０）。これに応じてＷebサーバ４０から対応するホームページが提供される（ステップＳ５１）。端末３０ｂは、その情報を専用ブラウザに表示する（ステップＳ５２）。
【００３８】
この様に動作することで、参照者２０ｂの配信情報選択基準が変更されると、それに伴い参照者２０ｂが参照する第三者の閲覧情報が変化する。
【００３９】
図９は、ユーザ端末３０ａ、３０ｂにおける第三者閲覧情報受信装置３１ａ、３１ｂの配信情報表示手段３３ａ、３３ｂとしての画面の一例を示す図である。本実施例における第三者閲覧情報受信装置の配信情報表示手段は、図９に示すように、制御部５００、ブラウザ画面５１０、第三者閲覧情報表示部５２０から構成される。制御部５００は「戻る」、「進む」等といった通常のブラウザ操作に加えて、個人情報の入力や閲覧情報要求基準の入力などができる。ブラウザ画面５１０は、通常のブラウザと同様にブラウジングができる。また、このブラウザ画面５１０の閲覧情報が第三者閲覧情報管理配信装置１０に各参照者の閲覧情報として送信される。第三者閲覧情報表示部５２０には、配信情報選択基準に従って参照者に配信された第三者の閲覧情報について、Ｗebサーバに要求した閲覧情報の対象の情報が表示される。
【００４０】
第三者閲覧情報受信装置の配信情報表示手段の表示形態は図９に示す範囲にとどまらない。制御部５００は常に表示される。ブラウザ画面５１０は、ユーザが表示、非表示を選択でき、非表示にすることで、第三者の閲覧情報のみを表示できる。この場合、第三者閲覧情報表示部５２０は、配信情報表示手段の画面全体に表示される。第三者閲覧情報表示部５２０の数はユーザが適宜選択でき、またその大きさもユーザが自由に設定可能である。ブラウザ画面５１０が表示されている場合でも第三者閲覧情報表示部５２０の数、大きさはユーザが自由に変更できるようにしてもよい。
【００４１】
またユーザは第三者閲覧情報表示部５２０をクリックすることで、ブラウザ画面５１０に改めて拡大表示して、閲覧することができる。同様にそのページをブックマークに加えることもできる。
【００４２】
なお、図１で示した第三者閲覧情報配信装置１０における各手段の一部もしくは全部の処理機能をコンピュータのプログラムで構成し、そのプログラムをコンピュータを用いて実行して本発明を実現することができること、あるいは、図６乃至図８で示した動作シーケンスの処理手順をコンピュータのプログラムで構成し、そのプログラムをコンピュータに実行させることができることは言うまでもない。また、コンピュータでその処理機能を実現するためのプログラム、あるいは、コンピュータにその処理手順を実行させるためのプログラムを、そのコンピュータが読み取り可能な記録媒体、例えば、ＦＤ、ＭＯ、ＲＯＭ、メモリカード、ＣＤ、ＤＶＤ、リムーバブルディスクなどに記録して、保存したり、提供したりすることができるとともに、インターネット等のネットワークを通してそのプログラムを配布したりすることが可能である。
【図面の簡単な説明】
【００４３】
【図１】本発明による第三者閲覧情報配信装置の一利用形態のシステム全体の構成図である。
【図２】個人情報管理手段が保持するデータの一例を示す図である。
【図３】閲覧情報管理手段が保持するデータの一例を示す図である。
【図４】配信情報選択基準管理手段が保持するデータの一例を示す図である。
【図５】配信情報管理手段が保持するデータの一例を示す図である。
【図６】第三者の閲覧情報の変更にかかる動作シーケンス図である。
【図７】第三者の個人情報の変更にかかる動作シーケンス図である。
【図８】参照者の配信情報選択基準の変更にかかる動作シーケンス図である。
【図９】配信情報表示手段の画面の一例を示す図である。
【符号の説明】
【００４４】
１０  第三者閲覧情報配信装置
１１  要求解析手段
１２  個人情報管理手段
１３  閲覧情報管理手段
１４  配信情報選択基準管理手段
１５  ユーザ選択手段
１６  配信情報管理手段
２０ａ  ユーザ（第三者）
２０ｂ  ユーザ（参照者）
３０ａ  ユーザ端末（第三者の端末）
３０ｂ  ユーザ端末参照者の端末
４０  Ｗebサーバ
５０  インターネット
【図１】
2005135194.tif 000003
【図２】
2005135194.tif 000004
【図３】
2005135194.tif 000005
【図４】
2005135194.tif 000006
【図５】
2005135194.tif 000007
【図６】
2005135194.tif 000008
【図７】
2005135194.tif 000009
【図８】
2005135194.tif 000010
【図９】
2005135194.tif 000011